(57)【要約】【課題】冷却後の空気の排出に起因する観察者の不快感を抑制することが可能なプロジェクタを提供する。【解決手段】前方脚部３ａを最も短くした状態でプロジェクタ１を水平な設置面ＴＢ上に設置すると、筐体２は略水平な状態となる。姿勢検出部からの検出信号が、筐体２が略水平であることを示す場合には、制御部は、ルーバ駆動部に指示をして、前方（−Ｙ方向）のやや下向き（−Ｚ側向き）の設置面ＴＢに向けて空気が排出されるように整流板７０の傾斜角を調整する。一方、前方脚部３ａを突出させた状態でプロジェクタ１を設置面ＴＢ上に設置すると、筐体２は、前方側（−Ｙ側）が持ち上がるように傾いた姿勢となる。姿勢検出部からの検出信号が、筐体２が傾いていることを示す場合には、制御部は、ルーバ駆動部に指示をして、設置面ＴＢ上の、筐体２が水平である場合と略同一の位置に空気が排出されるように、整流板７０の傾斜角を調整する。【選択図】図６
2009075505.tif 000002
【特許請求の範囲】
【請求項１】
画像を投写するプロジェクタであって、
外装を構成する筐体と、
前記筐体の内部を冷却するための空気を前記筐体の外部から吸入すべく前記筐体に設けられた吸気口と、
冷却後の空気を平面視で前記画像の投写方向と略同一方向に排出すべく前記筐体に設けられた排気口と、
前記冷却後の空気を前記排気口から排出させる排気ファンと、
当該プロジェクタの姿勢を検出する姿勢検出部と、
前記姿勢検出部の検出結果に基づいて、前記排気口から排出される前記空気の排出方向を上下方向に調整する排気方向調整部と、
を備えたことを特徴とするプロジェクタ。
【請求項２】
請求項１に記載のプロジェクタであって、
前記排気方向調整部は、前記姿勢検出部の検出結果に基づいて、前記空気が前記筐体の設置面に向けて排出されるように調整することを特徴とするプロジェクタ。
【請求項３】
請求項１に記載のプロジェクタであって、
前記排気方向調整部は、前記姿勢検出部の検出結果に基づいて、前記空気が略水平に排出されるように調整することを特徴とするプロジェクタ。
【請求項４】
請求項１に記載のプロジェクタであって、
前記姿勢検出部は、当該プロジェクタが通常の姿勢で設置されているか、或いは上下を反転させた反転姿勢で設置されているかを検出可能であり、
前記排気方向調整部は、前記姿勢検出部の検出結果に基づいて、前記空気が上方に向けて排出されるように調整することを特徴とするプロジェクタ。
【発明の詳細な説明】
【技術分野】
【０００１】
本発明は、外部の空気を吸入して筐体の内部を冷却し、冷却後の空気を筐体の外部に排出するプロジェクタに関する。
【背景技術】
【０００２】
光源から射出された光を変調して画像を形成し、この画像をスクリーン等に投写するプロジェクタの多くは、筐体の外部から空気を吸入して、光源の点灯等に伴って高温となる筐体の内部を冷却し、筐体に設けられた排気口から冷却後の空気を排出するようになっている。この排気口が筐体の側面や背面に備わる場合には、冷却により高温となった空気が画像の観察者に吹きかかり、観察者に不快感を与えてしまう場合があった。
【０００３】
特許文献１には、排気口を筐体の前面（投写方向側の面）に備え、冷却後の空気を前方（投写方向と同方向）に排出する構成のプロジェクタが提案されている。筐体の前方は、画像の投写を遮る位置であることから、観察者は、筐体の後方や側方に位置していることが多い。このため、特許文献１に記載のプロジェクタのように筐体の前方に向けて空気を排出する構成にすれば、観察者に不快感を与えてしまうことが抑制される。
【０００４】
【特許文献１】特開２００１−６６６９９号公報
【発明の開示】
【発明が解決しようとする課題】
【０００５】
しかしながら、冷却後の空気を筐体の前方に向けて排出すると、排出された空気が直接スクリーンにあたってスクリーンを揺らしてしまい、画像の観察を妨げてしまうという問題を有している。また、投写される画像の位置を上側に移動すべく筐体を傾けて設置した場合には、冷却後の空気も前方上側に向かって排出されることとなり、空気がスクリーンや壁面、天井等にあたって回り込み、筐体の後方等にいる観察者に吹きかかってしまう事態も生じ得る。
【課題を解決するための手段】
【０００６】
本発明は、上述の課題の少なくとも一部を解決するためになされたものであり、以下の形態又は適用例として実現することが可能である。
【０００７】
［適用例１］本適用例に係るプロジェクタは、画像を投写するプロジェクタであって、外装を構成する筐体と、前記筐体の内部を冷却するための空気を前記筐体の外部から吸入すべく前記筐体に設けられた吸気口と、冷却後の空気を平面視で前記画像の投写方向と略同一方向に排出すべく前記筐体に設けられた排気口と、前記冷却後の空気を前記排気口から排出させる排気ファンと、当該プロジェクタの姿勢を検出する姿勢検出部と、前記姿勢検出部の検出結果に基づいて、前記排気口から排出される前記空気の排出方向を上下方向に調整する排気方向調整部と、を備えたことを特徴とする。
【０００８】
このプロジェクタによれば、排気方向調整部が、プロジェクタの姿勢に応じて空気の排出方向を上下に調整するため、排出された空気がスクリーンを揺らしたり、壁面や天井等にあたって回り込んだりしてしまう事態を抑制することが可能となる。
【０００９】
［適用例２］上記適用例に係るプロジェクタにおいて、前記排気方向調整部は、前記姿勢検出部の検出結果に基づいて、前記空気が前記筐体の設置面に向けて排出されるように調整することが望ましい。
【００１０】
このプロジェクタによれば、冷却後の空気が設置面に向けて排出されるため、スクリーンに直接あたってスクリーンを揺らしてしまう事態が抑制される。
【００１１】
［適用例３］上記適用例に係るプロジェクタにおいて、前記排気方向調整部は、前記姿勢検出部の検出結果に基づいて、前記空気が略水平に排出されるように調整するようにしてもよい。
【００１２】
このプロジェクタによれば、プロジェクタの姿勢に拘わらず空気が略水平に排出されるため、空気は投写面に対して略垂直に吹きかかる。この結果、空気が分散するとともにその勢いが緩和されるため、斜め上方に向けて排出された場合に比べて、空気の回り込みを抑制することが可能となる。
【００１３】
［適用例４］上記適用例に係るプロジェクタにおいて、前記姿勢検出部は、当該プロジェクタが通常の姿勢で設置されているか、或いは上下を反転させた反転姿勢で設置されているかを検出可能であり、前記排気方向調整部は、前記姿勢検出部の検出結果に基づいて、前記空気が上方に向けて排出されるように調整するようにしてもよい。
【００１４】
このプロジェクタによれば、通常の姿勢で設置された場合でも、上下を反転させた反転姿勢で設置された場合でも、冷却後の空気を上方に向けて排出するため、通常の姿勢で机上等に設置された場合、及び反転姿勢で天井等に設置された場合の双方において、観察者に空気が吹きかかるのを抑制することが可能となる。
【発明を実施するための最良の形態】
【００１５】
以下、本発明の実施形態に係るプロジェクタについて、図面を参照して説明する。
図１及び図２は、本実施形態のプロジェクタの斜視図であり、図１は、上面側から見た図、図２は、底面側から見た図である。なお、これ以降、プロジェクタを机上等に載置して使用している状態において、プロジェクタの前面（投写レンズが露出する面）に向かって右方向を＋Ｘ方向、奥行き方向を＋Ｙ方向、上方向を＋Ｚ方向とする。
図１及び図２に示すように、プロジェクタ１は、外装を構成する略箱型の筐体２によって装置本体が覆われた構成を有している。筐体２の前面２ｆには、外部のスクリーン等に画像（画像光）を投写する投写レンズ１３が露出しており、投写レンズ１３は、平面視、即ち＋Ｚ側から見た場合で、前方（−Ｙ方向）に向けて画像を投写する。また、筐体２の上面２ｔには、プロジェクタ１に対して各種指示を行うための複数の操作キーを備えた操作パネル２２が設けられている。
【００１６】
筐体２の底面２ｂには、前方の略中央に前方脚部３ａが備えられ、後方の左右両側に後方脚部３ｂ，３ｃが備えられている。前方脚部３ａ及び後方脚部３ｂ，３ｃは、プロジェクタ１を机上等に載置（設置）した際に、その設置面と当接する。このうち、前方脚部３ａは、底面２ｂに対して垂直な−Ｚ方向に突出可能になっており、前方脚部３ａを突出させた状態でプロジェクタ１を設置すると、筐体２は、前方が持ち上がって傾斜した姿勢となり、投写レンズ１３からの画像は、より上方に投写される（図６（ｂ）参照）。このため、前方脚部３ａの突出量を調整することによって、画像の投写位置を上下方向に調整することができる。
【００１７】
また、筐体２の底面２ｂには、外部の空気を筐体２の内部に吸入するための吸気口４が形成されており、吸気口４には、空気中に混在する塵埃の進入を抑制するためのフィルタ５が配置されている。吸気口４から吸入された空気は、筐体２の内部の冷却に用いられる。
【００１８】
筐体２の前面２ｆには、冷却によって暖められた空気を筐体２の外部に排出するための排気口６が形成されており、平面視において画像の投写方向と略同一方向、即ち−Ｙ方向に向けて空気を排出する。また、排気口６には、排気方向調整部としての可動式のルーバ７が備えられており、空気の排出方向（排気方向）を上下方向（±Ｚ方向）に調整可能になっている。
【００１９】
図３及び図４は、排気口６の近傍の構成を説明するための断面図であり、図３は、筐体２の左側面側（−Ｘ側）から見た図、図４は、筐体２の上面２ｔ側（＋Ｚ側）から見た図である。
図３及び図４に示すように、排気口６には、筐体２の内部で暖められた空気を排気口６に導くためのダクト８が接続されている。ダクト８は、排気口６から＋Ｙ方向に向かって延在しており、ダクト８の内側には、排気ファン９が配置されている。排気ファン９は、例えば、軸流ファン等で構成され、冷却後の空気をダクト８に沿って排気口６に送り、排気口６から外部に向けて排出する。
【００２０】
ルーバ７は、複数の整流板７０を備えている。各整流板７０は、平面視（図４参照）で略矩形の細長い形状を有しており、その長辺がプロジェクタ１の左右方向（±Ｘ方向）と略平行な姿勢で配置されている。そして、複数の整流板７０は、互いに平行に、且つ上下方向（±Ｚ方向）に略等間隔で配列されている。
【００２１】
各整流板７０の短辺側（＋Ｘ側及び−Ｘ側）の端面には、略中央、及び上流側（＋Ｙ側）端部の２ヶ所に、それぞれ円柱状の突起７２，７３が形成されている。また、ダクト８の±Ｘ方向両側の内壁には、中央の突起７２に対応する複数の凹部７４が上下方向に等間隔で形成されており、各整流板７０の突起７２は、凹部７４に回動可能に嵌合されている。また、ダクト８の±Ｘ方向両側の内壁には、内壁に沿って上下動が可能な連結部材７１が配置されている。連結部材７１には、上流側端部の突起７３に対応する複数の凹部７５が上下方向に等間隔（凹部７４の間隔と略同一）で形成されており、各整流板７０の突起７３は、凹部７５に回動可能に係合されている。なお、凹部７４の開口形状は、略円形である一方で、凹部７５の開口形状は、前後方向（±Ｙ方向）に細長い形状となっており、突起７３は、連結部材７１の上下動に伴って、凹部７５に係合した状態で前後に移動可能になっている。
【００２２】
ルーバ７は、上記のように構成されているため、連結部材７１を上下に動かすと、複数の整流板７０は、それぞれの突起７２を軸にして同一方向に回動し、互いに平行な姿勢を保ったまま水平面（ＸＹ平面）とのなす角度（傾斜角）を変化させる。排気ファン９によって排気口６に送られた空気は、ルーバ７の整流板７０に沿って流れ、排気口６から整流板７０の傾斜角に沿った方向に排出される。
【００２３】
次に、プロジェクタ１の回路構成について説明する。
図５は、プロジェクタ１の回路構成を示すブロック図である。
図５に示すように、プロジェクタ１は、画像投写部１０、制御部２０、記憶部２１、操作パネル２２、リモコン２３、操作信号受信部２４、画像信号入力部２５、画像信号処理部２６、ファン制御部２７、ルーバ駆動部２８、姿勢検出部２９等で構成されている。
【００２４】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等を含んでいる。画像投写部１０は、表示部に相当するものであり、光源１１から射出された光を、液晶ライトバルブ１２Ｒ，１２Ｇ，１２Ｂで変調して画像光を形成し、この画像光を投写レンズ１３から投写することによってスクリーンＳＣ等に画像を表示する。
【００２５】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２６】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素が形成されており、液晶に対して画素毎に駆動電圧を印加可能になっている。ライトバルブ駆動部１４が、入力される画像信号に応じた駆動電圧を各画素に印加すると、各画素は、画像信号に応じた光透過率に設定される。このため、光源１１から射出された光は、この液晶ライトバルブ１２Ｒ，１２Ｇ，１２Ｂを透過することによって変調され、画像信号に応じた画像光が色光毎に形成される。形成された各色の画像光は、図示しない色合成光学系によって画素毎に合成されてカラー画像を表す画像光となった後、投写レンズ１３によってスクリーンＳＣ等に拡大投写される。
【００２７】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ１の動作を統括制御する。つまり、制御部２０は、記憶部２１とともにコンピュータとして機能する。
【００２８】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための制御プログラムや、プロジェクタ１の動作条件等を規定する各種設定データ等が記憶されている。
【００２９】
操作パネル２２及びリモコン２３は、ユーザからの入力操作を受け付ける複数の操作キーを備えている。ユーザが操作パネル２２の各種操作キーを操作すると、操作パネル２２は、ユーザの操作内容に応じた操作信号を制御部２０に出力する。また、ユーザがリモコン２３の各種操作キーを操作すると、リモコン２３は、ユーザの操作内容に応じた赤外線の操作信号を発し、操作信号受信部２４がこれを受信して制御部２０に伝達する。
【００３０】
画像信号入力部２５には、パーソナルコンピュータやＤＶＤ（Digital Versatile Disc）再生装置等、図示しない外部の画像出力装置とケーブルを介した接続を行うための接続端子（図示せず）が備えられており、画像出力装置から各種形式の画像信号が入力される。画像信号入力部２５は、入力された画像信号を画像信号処理部２６に出力する。
【００３１】
画像信号処理部２６は、画像信号入力部２５から入力される各種形式の画像信号を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素から射出する光の強弱（階調）が規定される。
【００３２】
さらに、画像信号処理部２６は、制御部２０の指示に基づいて、変換した画像情報に対して、明るさ、コントラスト、シャープネス、色合い等を調整するための画質調整処理や、入力画像上に設定メニュー等を重畳させるためのＯＳＤ（オンスクリーンディスプレイ）処理等を行い、処理後の画像情報をライトバルブ駆動部１４に出力する。
【００３３】
ライトバルブ駆動部１４が、画像信号処理部２６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像光を形成し、この画像光が投写レンズ１３からスクリーンＳＣに投写される。この結果、入力された画像信号に基づく入力画像がスクリーンＳＣに表示される。
【００３４】
ファン制御部２７は、排気口６から空気を排気するための排気ファン９や、吸気口４から空気を吸入するための吸気ファン（図示せず）の駆動を制御するものであり、制御部２０の指示に基づいて、吸気ファン及び排気ファン９の回転やその停止を行う。
【００３５】
ルーバ駆動部２８は、制御部２０の指示に基づいて、ルーバ７の連結部材７１の上下動を駆動して、整流板７０の傾斜角を変化させる。なお、連結部材７１の上下動は、連結部材７１にラック（図示せず）を形成し、これに噛合するピニオン（図示せず）を回転駆動すること等によって実現可能であり、この場合、ルーバ駆動部２８は、ピニオンを回転駆動するためのモータ等で構成される。
【００３６】
姿勢検出部２９は、加速度センサ（重力センサ）等で構成され、筐体２の傾きを検出して、その検出結果を検出信号として制御部２０に出力する。この姿勢検出部２９は、筐体２の前方側（−Ｙ側）或いは後方側（＋Ｙ側）が上下（±Ｚ方向）に変位する際の傾きを検出することができる。
【００３７】
次に、プロジェクタ１の動作について説明する。
プロジェクタ１が画像を投写している際、制御部２０は、姿勢検出部２９からの検出信号を定期的に監視しており、姿勢検出部２９の検出結果、即ち筐体２の傾きに応じて、ルーバ７の整流板７０の傾斜角を変化させる。
【００３８】
図６（ａ）、（ｂ）は、プロジェクタ１の動作を説明するための説明図であり、（ａ）は、プロジェクタ１が水平に設置された状態を示す側面図、（ｂ）は、プロジェクタ１が傾けて設置された状態を示す側面図である。
図６（ａ）に示すように、前方脚部３ａを最も短くした状態でプロジェクタ１を水平な設置面ＴＢ上に設置すると、筐体２は略水平な状態となる。この状態で、プロジェクタ１は、筐体２の前方（−Ｙ方向）やや上向き（＋Ｚ側向き）に画像を投写（あおり投写）するようになっており、このとき、画像の下端部は、投写レンズ１３から略水平に射出される。
【００３９】
姿勢検出部２９からの検出信号が、筐体２が略水平であることを示す場合には、制御部２０は、ルーバ駆動部２８に指示をして、前方（−Ｙ方向）のやや下向き（−Ｚ側向き）の設置面ＴＢに向けて空気が排出されるように整流板７０の傾斜角を調整する。
【００４０】
一方、図６（ｂ）に示すように、前方脚部３ａを突出させた状態でプロジェクタ１を設置面ＴＢ上に設置すると、筐体２は、前方側（−Ｙ側）が持ち上がるように傾いた姿勢となり、画像は、筐体２を水平に設置した場合に比べてさらに上側（＋Ｚ側）に投写される。
【００４１】
姿勢検出部２９からの検出信号が、筐体２が傾いていることを示す場合には、制御部２０は、ルーバ駆動部２８に指示をして、設置面ＴＢ上の、筐体２が水平である場合と略同一の位置に空気が排出されるように、整流板７０の傾斜角を調整する。
【００４２】
ここで、筐体２が傾いた状態で、整流板７０が図６（ａ）に示す傾斜角のままである場合を想定すると、排気口６から排出される空気は、略水平に進行して直接スクリーンＳＣに当たってしまう恐れがあることから、本実施形態では、常に設置面ＴＢに向けて空気を排出するようにしている。また、筐体２が水平に設置された状態で、整流板７０が図６（ｂ）に示す傾斜角である場合を想定すると、冷却後の空気が排気口６の間近に排出されてしまい、設置面ＴＢが高温になってしまう恐れがあることから、本実施形態では、排気口６から−Ｙ方向に離れた位置に向けて空気を排出するようにしている。
【００４３】
以上説明したように、本実施形態のプロジェクタ１によれば、筐体２の姿勢に拘わらず、冷却後の空気が設置面ＴＢに向けて排出されるようにしているため、空気がスクリーンＳＣに直接当たってスクリーンＳＣを揺らしてしまう事態が抑制される。なお、空気が設置面ＴＢに跳ね返ってスクリーンＳＣに至ったとしても、空気は、設置面ＴＢに当たって分散するため、その勢いは緩和される。また、プロジェクタ１が机等の上に設置された場合で、前方に設置面ＴＢが延出していない場合であっても、空気は、画像の下端部よりも下側に向けて排出されるため、空気が直接スクリーンに向かってしまうことによる影響は小さくて済む。
【００４４】
（変形例）
なお、前記実施形態は、以下のように変更してもよい。
前記実施形態では、常に前方やや下向きに空気が排出されるようにしているが、画像をスクリーンＳＣではなく壁面に投写する場合のように、スクリーンＳＣが揺れてしまう恐れが少ない場合には、図７（ａ）、（ｂ）に示すように、筐体２の傾きに拘わらず、常に水平方向（側面視で−Ｙ方向）に空気が排出されるように整流板７０の傾斜角を調整するようにしてもよい。この場合には、空気は、投写面に対して略垂直に吹きかかって様々な方向に分散するため、斜め上方に向けて排出した場合に比べて、空気が回り込んで観察者に吹きかかってしまう事態を抑制することが可能となる。
【００４５】
前記実施形態では、姿勢検出部２９が筐体２の傾きを検出して、この検出結果に応じて整流板７０の傾斜角を調整するようにしているが、プロジェクタ１の設置状態、即ち、通常の姿勢で机上等に載置されているか、或いは上下が反転した反転姿勢で天井等に設置されているかを姿勢検出部２９によって検知し、この検知結果に応じて、整流板７０の傾斜角を調整するようにしてもよい。例えば、室内の構造等により空気が回り込んでしまう恐れが少ない場合において、プロジェクタ１が通常の姿勢であることを姿勢検出部２９が検知した場合には、図８（ａ）に示すように、前方（−Ｙ方向）且つ筐体２の上面２ｔ寄りに空気を排出させる。一方、プロジェクタ１が反転姿勢であることを姿勢検出部２９が検知した場合には、図８（ｂ）に示すように、プロジェクタ１が天井に吊り下げられている状態であるとみなして、前方（−Ｙ方向）、且つ筐体２の底面２ｂ寄りに空気を排出する。これにより、プロジェクタ１の設置状態に拘わらず、常に前方（−Ｙ方向）の上向き（＋Ｚ側向き）に空気が排出されることになり、通常の姿勢で机上等に載置された場合でも、反転姿勢で天井等に設置された場合でも、観察者に空気が吹きかかってしまう事態を抑制することが可能となる。
【００４６】
前記実施形態において、筐体２を傾けて投写した際に、画像が台形状に歪んでしまう台形歪が生じてしまうことになるが、この台形歪を抑制すべく画像情報を補正する台形歪補正部をさらに備えるようにして、姿勢検出部２９が検出した筐体２の傾きに応じて画像情報を補正する構成にすることも可能である。
【００４７】
前記実施形態では、加速度センサ等を用いて筐体２の傾きを検出しているが、筐体２の傾きを検出するための構成はこれに限定されず、例えば、突出した前方脚部３ａの長さを検出し、この検出結果に基づいて筐体２の傾きを導くようにすることもできる。
【００４８】
前記実施形態では、複数の整流板７０を備えたルーバ７によって排気方向を調整するようにしているが、排気方向を調整するための構成はこれに限定されない。例えば、排気口６から筒状のダクトを外部に延出させ、このダクトの向きを調整するようにしてもよい。
【００４９】
前記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源１１から射出した光を変調する微小ミラーアレイデバイス等を用いることもできる。
【００５０】
前記実施形態では、光源１１は、放電型の光源ランプ１１ａによって構成されているが、ＬＥＤ（Light Emitting Diode：発光ダイオード）光源等の固体光源や、その他の光源を用いることもできる。
【図面の簡単な説明】
【００５１】
【図１】プロジェクタを上面側から見た斜視図。
【図２】プロジェクタを底面側から見た斜視図。
【図３】排気口の近傍の構成を説明するための断面図であり、筐体の左側面側から見た図。
【図４】排気口の近傍の構成を説明するための断面図であり、筐体の上面側から見た図。
【図５】プロジェクタの回路構成を示すブロック図。
【図６】プロジェクタの動作を説明するための説明図であり、（ａ）は、プロジェクタが水平に設置された状態を示す側面図、（ｂ）は、プロジェクタが傾けて設置された状態を示す側面図。
【図７】変形例に係るプロジェクタの動作を説明するための説明図であり、（ａ）は、プロジェクタが水平に設置された状態を示す側面図、（ｂ）は、プロジェクタが傾けて設置された状態を示す側面図。
【図８】変形例に係るプロジェクタの動作を説明するための説明図であり、（ａ）は、プロジェクタが通常の姿勢で設置された状態を示す側面図、（ｂ）は、プロジェクタが反転姿勢で設置された状態を示す側面図。
【符号の説明】
【００５２】
１…プロジェクタ、２…筐体、３ａ…前方脚部、３ｂ，３ｃ…後方脚部、４…吸気口、５…フィルタ、６…排気口、７…ルーバ、８…ダクト、９…排気ファン、１０…画像投写部、１１…光源、１２Ｒ，１２Ｇ，１２Ｂ…液晶ライトバルブ、１３…投写レンズ、１４…ライトバルブ駆動部、２０…制御部、２１…記憶部、２２…操作パネル、２３…リモコン、２４…操作信号受信部、２５…画像信号入力部、２６…画像信号処理部、２７…ファン制御部、２８…ルーバ駆動部、２９…姿勢検出部、７０…整流板、７１…連結部材、７２，７３…突起、７４，７５…凹部、ＳＣ…スクリーン、ＴＢ…設置面。
【図１】
2009075505.tif 000003
【図２】
2009075505.tif 000004
【図３】
2009075505.tif 000005
【図４】
2009075505.tif 000006
【図５】
2009075505.tif 000007
【図６】
2009075505.tif 000008
【図７】
2009075505.tif 000009
【図８】
2009075505.tif 000010